(57)【特許請求の範囲】
【請求項１】
ドアと床の隙間にはめ込み回転することによって固定・解除できるドアストッパーであって、前記ドアが動くことにより前記ドアから前記ドアストッパーに荷重が伝わって前記ドアストッパーが回転することにより前記ドアストッパーと前記床と前記ドアの間に応力が加わり、前記ドアが固定されることを特徴とし、前記ドアストッパーは円球に切り欠きを設けた形状で、前記切り欠きによってできた二つの面が前記ドア下端部の底面と表面に接することで前記ドアが固定されるドアストッパー。
【請求項２】
ドアと床の隙間にはめ込み回転することによって固定・解除できるドアストッパーであって、前記ドアが動くことにより前記ドアから前記ドアストッパーに荷重が伝わって前記ドアストッパーが回転することにより前記ドアストッパーと前記床と前記ドアの間に応力が加わり、前記ドアが固定されることを特徴とし、前記ドアストッパーは個々の円形で連なっていて山なりに構成されたドアストッパー。
【請求項３】
ドアと床の隙間にはめ込み回転することによって固定・解除できるドアストッパーであって、前記ドアが動くことにより前記ドアから前記ドアストッパーに荷重が伝わって前記ドアストッパーが回転することにより前記ドアストッパーと前記床と前記ドアの間に応力が加わり、前記ドアが固定されることを特徴とし、前記ドアストッパーは弾丸形の軸方向を水平にした際の前記弾丸形の上部に切り欠きを設けた形状で、前記切り欠きによってできた二つの面が前記ドア下端部の底面と表面に接し、前記ドアが動くことにより前記ドアストッパーが回転しようとするので前記ドアが固定されるドアストッパー。
【請求項４】
ドアストッパーの表面、または、前記ドアストッパー自体が防滑性柔軟材で構成されていることを特徴とする請求項１から請求項３記載のドアストッパー。
【発明の詳細な説明】
【技術分野】
【０００１】
本発明は、建築物のドアと床の隙間に使うドアストッパーの形態に関するものである。
【背景技術】
【０００２】
高層マンションなどの玄関ドアは風が強くて、既設のドアストッパーが破損して使えなくなっていることが多い。また、玄関先は水はけをよくするため外側に勾配がとってあることが多く隙間が不均等になることで、ドアストッパーによっては役目を果たしきれない。他に和室の二間続きの場合などは床が畳なのでドアストッパーが施工できないのが現状。
【０００３】
そこでよく市販されているクサビ状のドアストッパーを使っている人がいますが、これもまた機能していないことが多い。
【０００４】
強風も同じ方向からではないので、ドアに風が当たるたびに少しずつストッパーがずれてしまい、ドアとストッパーの間隔が空いてしまっている時に強風のタイミングによってはドアに勢いがついてしまい、ストッパーごとドアがしまってしまうこともあり、それによって丁番が緩んだり戸当りの劣化などの原因になる。
【０００５】
ドアを開けている状態で予想できない突風によっては、ドアとドア枠の間に指をはさんでしまう事もありえますからドアの固定には安心できるものが求められている。また、住宅などでは消費者によって景観を重視してしまい、既設のドアストッパーを施工していないこともあり、市販されているクサビ状のドアストッパーをやむなく使用していることが多い。さらに手軽にドアを固定できるストッパーの中では、他に種類がなく、景観で言うと少し残念な結果になっている。
【０００６】
今までのドアストッパーはドア下端と床上の隙間に防滑材で構成されたクサビ状の物や、防滑を施した部材を使ってはめ込んで固定したものが多く取り上げられている。また、ドアそのものに取り付けることのできる先端にゴムの付いたつっかい棒を利用したものまである。このような考えは趣旨が同じで、ドアが動かないように床に対してすべらない部材を用いてはいるが、ドアとスットッパーの関係は固定されていてもストッパーごと動いてしまうことが多い。ドアが強風に煽られて強く動くことによって床に対しての摩擦抵抗だけで固定するのには限界があり、つっかい棒タイプなどは留め金の部分が破損してしまうことがある。クサビ状においてはドアとストッパーとの関係は接する面が少ないこともあり、ドアが動く度に角度が変わってしまい外れてしまう。ストッパーと床との関係では接している箇所だけでの摩擦抵抗では弱いため、玄関先の勾配のついた床でもストッパーが隙間から外れて独立してしまっては意味がなく、ドアが閉まる動きによってストッパー自体を弾き飛ばす。また、特許文献１では、二つの円球をつなげた物を用いているが、考え方は同じでドアの表面と裏面を使い円球二つで滑り止めとして固定する考え方である。
【先行技術文献】
【特許文献】
【０００７】
【特許文献１】特開２００１−２６２９１２号公報
【特許文献２】特開２００８−２６７０９４号公報
【特許文献３】特開２００２−６１４４５号公報
【特許文献１】特開２０１３−０７９５６１号公報
【発明の概要】
【発明が解決しようとする課題】
【０００８】
このようにストッパーごと動いてしまう固定方法では安心できない。
玄関先の勾配のついた床に固定できる方法が考えられていない。
【課題を解決するための手段】
【０００９】
そして、本発明は上記目的を達成するために床に対して面ではなく点で接することにより、ストッパー自体が回転することによりドアを固定して、従来の床の摩擦抵抗ではなくめり込みによってドアを固定・解除できる。
【００１０】
上記のドアストッパーは簡単にすべらず、且つ、めり込みやすいように防滑柔軟材が使用されている。また、ドアの動く方向に沿って回りやすいような角度で隙間に挟み込むことにより、より的確にドアを固定できるようになる。ドアの丁番付近の床に挟み込む場合はストッパーのと角度まで気にしなくても良くなる。
【００１１】
玄関先の勾配のある床は均一にならないため複数のサイズが必要になる。しかし、室内などの床が水平でドアと床の隙間が均一な場合でもサイズが合えば使用可能。
【発明の効果】
【００１２】
玄関先の勾配のある床でも、決められた施工方法によって安全に取り付けられる。ストッパーのサイズも複数あるため、同じドアにいくつもストッパーを取り付けることができ、より強固に固定できるようになる。
【００１３】
従来のストッパーと違い、面ではなく点で支えることによって、摩擦を利用しないため床の状態を気にしなくてもいい。また、玄関先では雨が降って床が濡れた状態でも効果は変わらない。
【００１４】
これによって消費者の不満や不信感などを少しでも取り除くことができるようになる。
【発明を実施するための形態】
【００１５】
図１〜図６は、第一実施形態の回転することによって固定・解除できるドアストッパーを示し、本発明を図に基づいて説明する。
【００１６】
図１において、ドアストッパー３０本体は円錐形で構成されています。ドア２０と床１０の隙間に差し込む時は、ドア２０が動く方向に合わせ、ストッパー３０が回転しやすい角度で差し込む方法による。ドア２０が閉じようとする荷重によって、ストッパー３０を回転させ、ドア２０と床１０、並びに隙間に挟まるストッパー３０に働く応力がドア２０を固定する。以下、第２〜５実施形態は同様である。
【００１７】
円錐形の細くなった先端部分にはストッパー３０自体が簡単に転がっていかないための状態を安定させる形状のものが施されているが、安定性に優れているようなら先端部分の形状はなくてもいい。
【００１８】
隙間に挟み組まれる箇所はめり込みやすいように防滑柔軟材が表面に施されているか、ストッパー３０が防滑柔軟材で構成されているのが好ましい。
【００１９】
ドア２０が動こうとする時のストッパー３０自体が回転してドアを固定できる同じような動き方であれば均等な円錐形でなくても構わないし、防滑柔軟材を使用しなくてもいい。
【００２０】
(第2実施形態)  （図２）
第２実施形態は、図２において、ドアストッパー３１は円錐状の外周が直線ではなく、いくつもの山なりで構成されている。
【００２１】
これにより、個々の円周が連なっているような形状になることで、ドア２０がストッパー３１に与える応力に対して各々が回転・変形することにより、よりドア２０の固定を強固にできる。また、安定性に優れているようなら先端部分のふらつきを抑制する形状はなくてもいい。
【００２２】
ドア２０のフラつきによってストッパー（３０・３１）との接点がなくなり、且つ先端の安定させる形状のものがちぎれて前記ストッパー自体が独立してしまっても、前記ストッパーの形状から先端を中心に回り込むだけなので、ドア２０が閉まろうとしても床１０との隙間に再び挟み込まれる。（図３）
【００２３】
隙間に挟み組まれる箇所はめり込みやすいように防滑柔軟材が表面に施されているか、ストッパー３１が防滑柔軟材で構成されていることにより個々の円形が複雑に変形し歪むのでより強固にドア２０を固定できる。
【００２４】
ドア２０が動こうとする時のストッパー３１自体が回転してドアを固定できる同じような動き方であれば規則正しい山なり状でなくても構わないし、防滑柔軟材を使用しなくてもいい。
【００２５】
(第３実施形態)    （図４）
第３実施形態は、図４において、ドアストッパー３２本体は円球であり、ドア２０の下端部分に接するための切り欠きが施されていて、玄関先など勾配のある床１０とドア２０の隙間にはめ込めるように構成されている。
【００２６】
円球の４分の１程度を切り抜いてできた二つの面がドア２０の底面と表面に接することによりドア２０を固定する。また、床１０に勾配がついているので、ドア２０と床１０との隙間が大きくなっている箇所から、ドアストッパー３２の面６０をドア２０の表面にあてがった状態で、ドア２０と床１０との隙間が小さくなっている方にスライドさせ、隙間に固定できるまで動かす。
【００２７】
円球の切り込んだ角４０・５０は直線状で結ばれていなくても良く、曲線状でも折れ線状でも構わない。また、面６０と面７０が織り成す角度は直角でなくてもいい。
【００２８】
これによってドア２０が動こうとしてもストッパー３２が回転しようとするので、表面に接した面６０が離れようとすると同時に、ドアの底面に接した面７０がドア２０を押し上げる働きをするのでストッパー３２自体が動けなくなり、ドア２０と床１０に対して微妙な変形が起こりうることでストッパー３２自体が独立して勝手に転がっていかないようになっている。
【００２９】
隙間に挟み組まれる箇所はめり込みやすいように防滑柔軟材が表面に施されているか、ストッパー３２が防滑柔軟材で構成されていることにより回転して固定するだけではなく、複雑な変形と歪によってより強固にドア２０を固定できる。
【００３０】
ドア２０が動こうとする時のストッパー３２自体が回転してドアを固定できる同じような動き方であればきれいな円球状でなくても構わないし、防滑柔軟材を使用しなくてもいい。
【００３１】
(第４実施形態)    （図５）
第４実施形態は、図５において、ドアストッパー３３の第４実施形態の平面７１は、以下の通りである。
【００３２】
平面７１に防滑柔軟材で出来た突起物が施してあり、これによって、変形が大きくなりドア２０の底面との固定を強固なものにする。
【００３３】
(第５実施形態)    （図６）
第５実施形態は、図６において、ドアストッパー３４は弾丸形である。ここで言う弾丸形とは円柱の一方向の先端が半球状に突起した形態のことを表し、前記先端が半球状に形成された円柱の軸方向を水平にした際の上部に切り欠きを設け、前記切り欠きが玄関先など勾配のある床１０とドア２０の隙間にはめ込めるように構成されている。
【００３４】
弾丸形の軸方向と直交する４１・５１の線を上昇させることによりできた面６１と、４１・５１の線を軸方向に延長して出来た面７２とで形成された弾丸形の二つの面がドア２０の底面と表面に接することによりドア２０を固定する。また、床１０に勾配がついているので、ドア２０と床１０との隙間が大きくなっている箇所から、ドアストッパー３４の面６１をドア２０の表面にあてがった状態で、ドア２０と床１０との隙間が小さくなっている方にスライドさせ、隙間に固定できるまで動かす。
【００３５】
弾丸形の切り込んだ角４１・５１は必ずしも直線で結ばれていなくても良く、折れ線状でも曲線状でも構わない。また、面６１と面７２が織り成す角度は直角でなくてもいい。
【００３６】
これによってドア２０が動こうとしてもストッパー３４が回転しようとするので、表面に接した面６１が離れようとすると同時に、ドアの底面に接した面７２がドアを押し上げる働きをするのでストッパー３４自体が動けなくなり、ドア２０と床１０に対して微妙な変形も起こりうることでより強固に固定でき、ストッパー３４自体が独立して勝手に転がっていかないようになっている。また、ドア２０のフラツキによって固定が緩んでも、弾丸形であるためドア２０の下端から外れて自由に転がっていくことがない。
【００３７】
隙間に挟み組まれる箇所はめり込みやすいように防滑柔軟材が表面に施されているか、ストッパー３４が防滑柔軟材で構成されていることにより変形しやすく歪によってより強固に固定できる。
【００３８】
ドア２０が動こうとする時のストッパー３４自体が回転してドアを固定できる同じような動き方であれば均等な弾丸形でなくても構わないし、防滑柔軟材を使用しなくてもいい。
【図面の簡単な説明】
【００３９】
【図１】回転することによって固定・解除できるドアストッパーであり、床とドアにはめ込んでいるときの関係
【図２】第２実施形態とドアとの関係
【図３】ドアとストッパーの関係
【図４】第３実施形態とドアとの関係
【図５】第４実施形態
【図６】第５実施形態とドアとの関係
【符号の説明】
【００４０】
１０  床
２０  ドア
３０  回転することによって固定・解除できるドアストッパー。
３１  第２実施形態
３２  第３実施形態
３３  第４実施形態
３４  第５実施形態
４０  第３実施形態の切り欠いた角部の先端
４１  第５実施形態の切り欠いた角部の先端
５０  切り欠いた角４0の反対側
５１  切り欠いた角４１の反対側
６０  第３実施形態のドア２０表面に接する面
６１  第５実施形態のドア２０表面に接する面  
７０  第３実施形態のドア２０底面に接する面
７１  第４実施形態のドア２０低面に接する面
７２  第５実施形態のドア２０底面に接する面  
【図１】
0006590239.tif 000002
【図２】
0006590239.tif 000003
【図３】
0006590239.tif 000004
【図４】
0006590239.tif 000005
【図５】
0006590239.tif 000006
【図６】
0006590239.tif 000007